(57)【要約】【課題】ネイルの装飾部材としてブリリアントカットのダイヤモンドを使用することができ、ダイヤモンドの輝きを最大限に引き出すことができるネイルを提供する。【解決手段】ネイルチップ１１にブリリアントカットのダイヤモンド１２の装着孔２４を、刃先ドリルでダイヤモンド１２のキューレット角度Ａと等しい９８．４度のテーパ状に穿設し、この装着孔２４にダイヤモンド１２のパビリオン１６を嵌め込んで接着固定する。【選択図】図１
2009273763.tif 000002
【特許請求の範囲】
【請求項１】
ネイルと、このネイルに取付けるブリリアントカットのダイヤモンドからなり、前記ネイルにダイヤモンドの装着孔をキューレット角度に等しいテーパ状に穿設し、この装着孔にダイヤモンドのパビリオンを嵌め込んで前記ネイルにダイヤモンドを取付けたネイル。
【請求項２】
ネイルと、このネイルに取付けるブリリアントカットのダイヤモンドを用い、刃先ドリルで前記ネイルにダイヤモンドの装着孔をキューレット角度に等しいテーパ状に穿設し、この装着孔にダイヤモンドのパビリオンを嵌め込んで前記ネイルにダイヤモンドを接着固定するネイルへのダイヤモンド取付け方法。
【発明の詳細な説明】
【技術分野】
【０００１】
この発明は、爪の上に取付け、指先の装飾性を向上させるネイル（付け爪）と、このネイルに装飾性の優れたダイヤモンドを取付けるための方法に関する。
【背景技術】
【０００２】
爪にネイルを取付け、このネイルに装飾部材を取付けて飾ることや、ペイント、着色を施すことで装飾性を向上させ、女性の手の指先を美しく見せるようにすることは広く一般に行われている。
【０００３】
上記ネイルにおいて、装飾性を向上させるための一つの手段として、ネイルの表面に各種装飾部材を取付ける方法が有り、この装飾部材の材料としては、ガラス、クリスタル、プラスチック等が用いられている。
【０００４】
従来、ガラス、クリスタル、プラスチック製の装飾部材をネイルに取付ける場合は、表面を所定の形状に仕上げた装飾部材の底面をフラットに形成し、これを接着剤を用いてネイルの表面に装飾部材を接着固定するようにしている。
【０００５】
ところで、上記した既存の装飾部材では、見た目の輝きや優雅さが少ないため、ネイルの装飾部材として、装飾効果の優れた小粒のダイヤモンドを用いることが考えられ、この場合、優雅で最も輝きの美しいブリリアントカットのダイヤモンドを用いるのが好ましい。
【０００６】
しかし、ブリリアントカットのダイヤモンドは、下半部が多角錐形のパビリオンになった形状にカットされているので、ネイルの表面に直接接着して取付けることができない。
【０００７】
ネイルにブリリアントカットのダイヤモンドを取付ける手段としては、図３のように、ネイル１の表面に、ダイヤモンド２のパビリオン３が丁度納まる直径と深さを有する、円形で底面がフラットな装着孔４を穿設し、接着剤を塗布したダイヤモンド２のパビリオン３を前記装着孔４に挿入し、ネイル１にダイヤモンド２を接着固定する方法が考えられる。
【発明の開示】
【発明が解決しようとする課題】
【０００８】
ところで、ネイル１の表面に設けた円形で底面がフラットな装着孔４に、接着剤でダイヤモンド２を取付ける方法は、装着孔４の穿設に技術を必要とするだけでなく、装着孔４へのダイヤモンド２の取付けに時間がかかり、図３に示したように、ダイヤモンド２のテーブル面５の向きが不安定になり、見た目の装飾性が低下するという問題がある。
【０００９】
また、円形で底面がフラットな装着孔４に接着剤でダイヤモンド２を取付ける方法は、どうしても接着面積が少なく、ダイヤモンド２の固定強度が弱いのでダイヤモンド２が取れ易く、このため、ダイヤモンド２からネイル１の上面にトップコートを厚く塗る必要が有り、ダイヤモンド２の輝きが低下するという問題がある。
【００１０】
そこで、この発明の課題は、上記した問題点を解決するため、ネイルに設ける装着孔をダイヤモンドのキューレット角度に等しいテーパ状に形成し、ダイヤモンドのテーブル面の向きが安定すると同時に強固な固定強度が得られ、ネイルの装飾部材としてブリリアントカットのダイヤモンドを使用可能とし、トップコートを薄く又は無くすことでダイヤモンドの輝きを最大限に引き出すことができるネイルとネイルへのダイヤモンド取付け方法を提供することにある。
【課題を解決するための手段】
【００１１】
上記の課題を解決するため、請求項１の発明は、ネイルと、このネイルに取付けるブリリアントカットのダイヤモンドからなり、前記ネイルにダイヤモンドの装着孔をキューレット角度に等しいテーパ状に穿設し、この装着孔にダイヤモンドのパビリオンを嵌め込んで前記ネイルにダイヤモンドを取付けた構成を採用したものである。
【００１２】
請求項２の発明は、ネイルと、このネイルに取付けるブリリアントカットのダイヤモンドを用い、刃先ドリルで前記ネイルにダイヤモンドの装着孔をキューレット角度に等しいテーパ状に穿設し、この装着孔にダイヤモンドのパビリオンを嵌め込んで前記ネイルにダイヤモンドを接着固定する構成を採用したものである。
【００１３】
ここで、ネイルには、材料に合成樹脂等を用いた付け爪をネイルグルーと呼ばれる爪用の接着剤や両面粘着テープを用いて爪に接着する構造と、爪の上に特殊なジェルを直接塗り、これを繰り返すことで付け爪を作成する構造とが有り、この発明では、これらのネイルを総称して以下ネイルチップという。
【００１４】
上記ネイルチップに装着孔を加工する刃先ドリルは、例えば、直径４ｍｍの超鋼丸軸を用い、その先端に設けた刃先の刃先角度がダイヤモンドのキューレット角度に等しい９８．４度に設定され、この刃先ドリルを電動や手動のドリルにセットし、刃先でネイルチップに表面から装着孔を穿設すればよく、ネイルチップにダイヤモンドのパビリオンが丁度納まる装着孔を加工することができる。
【発明の効果】
【００１５】
この発明によると、ネイルチップに設ける装着孔をダイヤモンドのキューレット角度に等しいテーパ状に形成し、この装着孔にダイヤモンドのパビリオンを嵌め込んで接着固定したので、装着孔とダイヤモンドのパビリオンが一致し、ネイルチップに対するダイヤモンドの固定姿勢が正確に規制され、ダイヤモンドのテーブル面の向きが安定するので、複数のダイヤモンドを取付けた場合、各ダイヤモンドの輝きが均一になり、ネイルチップの装飾部材としてブリリアントカットのダイヤモンドを使用することが可能になる。
【００１６】
また、装着孔とダイヤモンドのパビリオンが一致することで接着面が広く安定し、ネイルチップに対するダイヤモンドの固定強度が増大し、ダイヤモンドが脱落するようなことがなくなる。
【００１７】
更に、ダイヤモンドの強固な固定強度が得られることで、トップコートを薄く又は無くすことにより、ダイヤモンドの輝きを最大限に引き出すことができる。
【発明を実施するための最良の形態】
【００１８】
以下、この発明の実施の形態を図示例に基づいて説明する。
【００１９】
図１（ａ）乃至（ｃ）のように、この発明のネイルは、ネイルチップ１１とこのネイルチップ１１に取付ける装飾部材であるブリリアントカットのダイヤモンド１２からなり、前記ダイヤモンド１２は、上面が平坦なテーブル１３となるクラウン１４の下部にガードル１５を介してパビリオン１６を設けたカット形状になっており、このパビリオン１６は、多角面体の錐形でその下端がキューレット１７になり、キューレット角度Ａが９８．４度に設定されている。
【００２０】
上記ダイヤモンド１２を取付けるネイルチップ１１は、上述したように、材料に合成樹脂等を用いて爪に接着するものと、爪にジェルを直接塗布して作成していくものとがある。
【００２１】
上記ネイルチップ１１にブリリアントカットのダイヤモンド１２を取付けるため、専用の刃先ドリル１８が用いられる。
【００２２】
この刃先ドリル１８は、図２（ａ）に示すように、例えば、直径４ｍｍの超鋼丸軸を用いた長さ２５ｍｍのドリル本体１９の先端に突出長さ１．７ｍｍの刃先２０と後端に直径２ｍｍのシャンク２１を設けて形成され、前記刃先２０は、刃先角度Ｂがダイヤモンド１２のキューレット角度Ａに等しい９８．４度に設定され、刃先２０のシンニングは、図２（ｂ）の拡大図のように、軸心を挟む両側の切刃２２が直線状に並び、切刃２２間のクリアランス２３が０．０５ｍｍになっている。
【００２３】
次に、ネイルチップ１１に対するダイヤモンド１２の取付け方法を説明する。
【００２４】
先ず、上記刃先ドリル１８を電動や手動のドリルにセットし、回転させた刃先ドリル１８の刃先２０をネイルチップ１１の表面に当接させ、深さを確認しながら刃先２０でネイルチップ１１を切削して穿孔すれば、ダイヤモンド１２のキューレット角度Ａに等しい９８．４度の円錐形の装着孔２４を加工することができる。
【００２５】
上記装着孔２４は、図１（ｂ）のように、ダイヤモンド１２のパビリオン１６が丁度納まる形状となり、次に、ネイルチップ１１の装着孔２４にダイヤモンド１２のパビリオン１６を嵌め込み、この装着孔２４にダイヤモンド１２を接着剤で固定すればよく、図１（ｃ）の如く、装着孔２４とダイヤモンド１２のパビリオン１６が一致し、ネイルチップ１１に対するダイヤモンド１２の固定姿勢が正確に規制され、ダイヤモンド１２のテーブル１３の向きが安定するので、図１（ａ）のように、付け爪を手の爪に取付けた状態で、ネイルチップ１１に複数のダイヤモンド１２を取付けた場合、各ダイヤモンド１２の輝きが均一になる。
【００２６】
これによって、ネイルチップ１１の装飾部材として、ブリリアントカットのダイヤモンド１２を使用することが可能になる。
【００２７】
また、装着孔２４とダイヤモンド１２のパビリオン１６の形状が一致するので、装着孔２４にダイヤモンド１２を固定する接着剤の接着面が広く確保できて安定し、ネイルチップ１１に対するダイヤモンド１２の固定強度が増大し、ダイヤモンド１２が脱落するのを防止できる。
【００２８】
しかも、ダイヤモンド１２の強固な固定強度が得られることで、ダイヤモンド１２の表面に施すトップコートを薄く又は無くすことにより、ダイヤモンド１２の輝きを最大限に引き出すことができる。
【００２９】
なお、図１（ａ）の場合、ネイルチップ１１に複数のダイヤモンド１２を取付けた例を示したが、ダイヤモンド１２の取付け数は任意に設定すればよい。
【図面の簡単な説明】
【００３０】
【図１】（ａ）はこの発明のネイルチップを手の爪に取付けた状態を示す斜視図、（ｂ）はネイルチップに設けた装着孔とブリリアントカットのダイヤモンドの関係を示す拡大した縦断面図、（ｃ）は装着孔にダイヤモンドを接着固定した拡大縦断面図
【図２】（ａ）は装着孔の加工に用いる刃先ドリルの側面図、（ｂ）はこの刃先ドリルの刃先の形状を示す拡大した正面図
【図３】ネイルに設けた円形の装着孔にブリリアントカットのダイヤモンドを取付けた場合の拡大した縦断面図
【符号の説明】
【００３１】
１１        ネイルチップ
１２        ダイヤモンド
１３        テーブル
１４        クラウン
１５        ガードル
１６        パビリオン
１７        キューレット
１８        刃先ドリル
１９        ドリル本体
２０        刃先
２１        シャンク
２２        切刃
２３        クリアランス
２４        装着孔
【図１】
2009273763.tif 000003
【図２】
2009273763.tif 000004
【図３】
2009273763.tif 000005